(57)【要約】【課題】  整理アームの重量を支えることが可能なケーブル整理アームを提供する。【解決手段】  ケーブル整理アーム１は一端１１と別一端１２を有し、一端１１と別一端１２は滑動レール２に固定され、滑動レール２の伸長に伴い、位置移動及び枢設回転する。更に二端の間には折畳部品１３が設置され端部が延長湾曲段で枢設、折り畳まれる。ケーブル整理アーム１は下方に支持レール１４を設置し、支持レール１４にも一端１４１及び別一端１４２を具える。ケーブル整理アーム１の一端１１と別一端１２の間には滑動部品１５が設置され、その滑動部品１５は折り畳み部品１３箇所に設置される。一端１４１及び別一端１４２は滑動レール２に対応して滑動し、ケーブル整理アーム１の滑動部品１５は、支持レール１４の滑動槽１４３に対応し、滑動する。ケーブル整理アームとケーブルコードの重量は滑動部品１５によって支持レール１４で支えられる。【選択図】    図１
0003116135.tif 000002
【実用新案登録請求の範囲】
【請求項１】
滑動レールを設置するケーブル整理アームであって、
一端及び別一端を有し、二端の間には折畳部品を有し、
支持レールを有し、支持レールは一端及び別一端を有し、支持レールの二端は各々滑動レールに対応して滑動し、両端には滑動部品が設置され、滑動部品は支持レールに対応して滑動し、支持レールによって支えられることを特徴とするケーブル整理アーム。
【請求項２】
前記滑動部品は、折畳部品に設置することを特徴とする請求項１記載のケーブル整理アーム。
【請求項３】
前記支持レールには、滑動槽が成形され、滑動部品が滑動することを特徴とする請求項１記載のケーブル整理アーム。
【請求項４】
前記支持レールは、ケーブル整理アーム下方に設置されることを特徴とする請求項１記載のケーブル整理アーム。
【請求項５】
前記支持レールの二端は、各々滑動塊とすることを特徴とする請求項１記載のケーブル整理アーム。
【請求項６】
前記滑動塊は、各々枢設ピンにより支持レールに枢設し、支持レールには横槽を設置して枢設ピンが滑動することを特徴とする請求項５記載のケーブル整理アーム。
【請求項７】
前記支持レールは、滑動レールに対し垂直で、また支持レールの滑動槽は、滑動レールに対し傾斜することを特徴とする請求項１記載のケーブル整理アーム。
【請求項８】
端部に連結部が設置され、滑動レール内の案内レール後端に連結することを特徴とする請求項１記載のケーブル整理アーム。
【請求項９】
前記支持レールは、端部が直接滑動レール内の案内レール後端に連結することを特徴とする請求項１記載のケーブル整理アーム。
【請求項１０】
前記支持レールは、両端がそれぞれカバー台であることを特徴とする請求項１記載のケーブル整理アーム。
【請求項１１】
前記支持レールは、外レールと内レールが被さって構成され、外向きの両端はそれぞれ滑動塊に枢設され、且つ外レール上には滑動槽が成形されて、滑動部品が移動することを特徴とする請求項１記載のケーブル整理アーム。
【考案の詳細な説明】
【技術分野】
【０００１】
本考案は、ケーブル整理アームに関し、特にラック型滑動レールで保存する電子製品に用い、コード整理アームに支持レールを増設してコード整理アームの重量を支えるものに関する。
【背景技術】
【０００２】
ラック型滑動レールの保存空間に重畳する電子製品(例としてサーバ等)には、両側に滑動レールが設置され、且つ電子製品を滑動レールに対応させ移動し、ケーブル整理アームによって収納及びケーブルを制御する。
【０００３】
下述の米国特許にも示すとおり、通常滑動レールを設置して実施し、且つケーブル整理アームは一端及び別一端を含み、支持点とする。ケーブル整理アームの二端の間には折畳部品を設置し(通常ヒンジとする)、折り畳む。尚、折り畳む時、ケーブル整理アームの折畳部品箇所に掛合し、支持点から離す。
【０００４】
【特許文献１】米国特許第４，３５３，５１８号
【特許文献２】米国特許第４，６１４，３８３号
【特許文献３】米国特許第５，５７１，２５６号
【特許文献４】米国特許第６，３０３，８６４Ｂ１号
【特許文献５】米国特許第６，３０５，５５６Ｂ１号
【特許文献６】米国特許第６，４４２，０３０Ｂ１号
【特許文献７】米国特許第６，６００，６６５Ｂ１号
【特許文献７】米国特許申請早期公開ＵＳ２００３/００２６０８４Ａ１号
【特許文献７】米国特許第２００４/００７９７１１Ａ１号
【考案の開示】
【考案が解決しようとする課題】
【０００５】
しかしながら従来のケーブル及びケーブル整理アームには重量があるため、使用が長くなると、下へ垂れ、重畳する保存空間に於いて操作に影響を与える。
【０００６】
したがって本考案の目的は、整理アームの重量を支えることが可能なケーブル整理アームを提供することにある。
【課題を解決するための手段】
【０００７】
上述の目的を達成するために本考案の請求項に記載のケーブル整理アームは、滑動レールを設置して実施される。ケーブル整理アームは一端及び別一端を有し、且つその二端の間には折畳部品を設置する。更にこのケーブル整理アームに支持レールを設置する。支持レールもまた一端及び別一端を有し、その二端は各々滑動レールに対応して滑動する。また、ケーブル整理アーム二端の間にある折畳部品に滑動部品を設置し、活動部品は支持レールに対応して滑動し、且つ支持レールによって支えることを最も主要な特徴とする。
【０００８】
本考案のケーブル整理アームは、ケーブル及びケーブル整理アームを支持レールで支え、重みで下がってしまうことを防止するという利点がある。
【考案を実施するための最良の形態】
【０００９】
以下、本考案の実施例を図面に基づいて説明する。
図１から図３は、本考案の第１実施例によるケーブル整理アーム１であり、滑動レール２と合わせて実施される。
【００１０】
ケーブル整理アーム１は少なくとも二節から成り、一端１１と別一端１２を有する。この一端１１と別一端１２は滑動レール２に固定され、且つ枢設回転し、滑動レール２の伸長に伴い、位置移動及び枢設回転する。更にケーブル整理アーム１の二端の間は折畳部品１３が設置され（本実施例ではヒンジとする）、端部が延長湾曲段で枢設、折り畳まれる。更に、ケーブル整理アーム１は下方に支持レール１４を設置し、支持レール１４にも一端１４１及び別一端１４２を具える(本実施例では直接滑動塊を形成する)。またケーブル整理アーム１の一端１１と別一端１２の間には滑動部品１５が設置され、その滑動部品１５は折り畳み部品１３箇所に設置される（本実施例の滑動部品１５は折畳部品１３枢設軸下方に凸体として成形され、滑動槽１４３内に嵌入して滑動する）。
【００１１】
これらによって、支持レール１４の一端１４１及び別一端１４２はそれぞれ滑動レール２に対応して滑動する。ケーブル整理アーム１の滑動部品１５は、支持レール１４の滑動槽１４３に対応し、滑動する。更にケーブル整理アームとケーブルコード(図未提示)の重量は滑動部品１５によって支持レール１４で支えられる。図４に示すように、本考案の第１実施例を操作する時、ケーブル整理アーム１の一端１１と別一端１２は、二本の滑動レール２間で開いた場合、その中の折畳部品１３下方の滑動部品１５は、支持レール１４の滑動槽１４３内で滑動する。同時に支持レール１４が動くと、その一端１４１及び別一端１４２によって滑動レール２が対応して移動する。また、ケーブル整理アーム１及びケーブルコードの重量は、ケーブル整理アーム１の一端１１と別一端１２と支持レールの一端１４１及び別一端１４２が分担する。
【００１２】
図５及び図６は、本考案の第２実施例を示す。ケーブル整理アーム１の支持レール１４Ａの一端１４１Ａと別一端１４２Ａの滑動塊は、各々枢設ピン１４４Ａ、枢設ピン１４５Ａにより支持レール１４Ａに枢設される。更に枢設ピン１４４Ａは横槽１４６Ａ内で滑動し、その横槽１４６Ａは滑動レール２に対し平行である。
【００１３】
これによって支持レール１４Ａの一端１４１Ａと別一端１４２Ａの滑動塊が、滑動レール２で移動する時、枢設ピン１４４Ａは横槽１４６Ａ内で移動するため、滑動槽１４３Ａを滑動レール２で傾斜させ、滑動レール２に対し垂直でなくなる。このためケーブル整理アーム１が開閉する時、滑動部品１５は滑動槽１４３Ａ内での移動が更にスムーズになる。
【００１４】
図７及び図８は、本考案の第３実施例を示す。支持レール１４Ｂは、滑動レール２に垂直で、支持レール１４Ｂの滑動槽１４３Ｂは滑動レール２に対して傾斜する。同様にケーブル整理アーム１が開閉する時、滑動部品１５が滑動槽１４３Ｂ内でスムーズに滑動する。
【００１５】
図９は、本考案の第４実施例を示す。ケーブル整理アーム１の折畳部品１３Ｃを枢設する箇所に独立した片体を設置する。この片体両端にケーブル整理アーム１の端部を枢設することによって、両端から折畳できるようになる。更にこの折畳部品１３Ｃ下方に滑動部品１５Ｃを設置し、支持レール１４Ｃの滑動槽１４３Ｃを嵌入して滑動させる。
【００１６】
図１０は、本考案の第５実施例を示す。他に支持レール１４Ｄを滑動レール２に対応させて滑動させる手段として、図１０に示す。この支持レール１４Ｄの一端１４１Ｄには連結部１４７Ｄが設置され、滑動レール２内の案内レール２１Ｄ後端に連結し、同時に移動する。
【００１７】
図１１は、本考案の第６実施例を示す。支持レールと滑動レールの接合部の立体図で、この支持レール１４Ｅの一端１４１Ｅは直接滑動レール２内の案内レール２１Ｅ後端に連接する。
【００１８】
図１２は、本考案の第７実施例を示す。支持レール１４Ｆと滑動レール２が連接する形態で、支持レール１４Ｆの一端１４１Ｆ及び別一端（本実施例では一端１４１Ｆだけを表示し、別一端は表示していない）はカバー台形式で滑動レール２上に被せる。
【００１９】
図１３及び図１４は、本考案の第８実施例を示す。支持レール１４Ｇは外レール１４８Ｇと内レール１４９Ｇが被さり合って伸縮する形態で、外向きの一端１４１Ｇ及び別一端１４２Ｇそれぞれが滑動塊に枢設する形態で、外レール１４８Ｇ上には滑動槽１４３Ｇが成形され、そこにケーブル整理フレーム１の滑動部品１５Ｇが嵌入されて滑動する。また支持レール１４Ｇを伸縮させ、且つ滑動レール２が垂直でない傾斜状態で対応するのに有利であり、ケーブル整理フレーム１の開閉時に滑動部品１５Ｇが滑動槽１４３Ｇ内で移動しやすくする。
【図面の簡単な説明】
【００２０】
【図１】本考案の第１実施例によるケーブル整理アームを示す分解図である。
【図２】本考案の第１実施例によるケーブル整理アームを示す上面から見た図である。
【図３】本考案の第１実施例によるケーブル整理アームを示す立体図及び操作指示図（一）である。
【図４】本考案の第１実施例によるケーブル整理アームを示す操作指示図（二）である。
【図５】本考案の第２実施例によるケーブル整理アームを示す立体図及び操作指示図（一）である。
【図６】本考案の第２実施例によるケーブル整理アームを示す操作指示図（二）である。
【図７】本考案の第３実施例によるケーブル整理アームを示す立体図及び操作指示図（一）である。
【図８】本考案の第３実施例によるケーブル整理アームを示す操作指示図（二）である。
【図９】本考案の第４実施例によるケーブル整理アームを示す立体図及び操作指示図である。
【図１０】本考案の第５実施例によるケーブル整理アームの支持レールと滑動レールの接合部を示す立体図である。
【図１１】本考案の第６実施例によるケーブル整理アームの支持レールと滑動レールの接合部を示す立体図である。
【図１２】本考案の第７実施例によるケーブル整理アームの支持レールと滑動レールの接合部を示す立体図である。
【図１３】本考案の第８実施例によるケーブル整理アームを示す分解図である。
【図１４】本考案の第８実施例によるケーブル整理アームを示す立体図及び操作指示図である。
【符号の説明】
【００２１】
１  ケーブル整理アーム、１１  一端、１２  別一端、１３  折畳部品、１３Ｃ  折畳部品、１４  支持レール、１４Ａ  支持レール、１４Ｂ  支持レール、１４Ｃ  支持レール、１４Ｄ  支持レール、１４Ｅ  支持レール、１４Ｆ  支持レール、１４Ｇ  支持レール、１５  滑動部品、１５Ｃ  滑動部品、１５Ｇ  滑動部品、２１Ｄ  案内レール、２１Ｅ  案内レール、１４１  一端、１４１Ａ  一端、１４１Ｄ  一端、１４１Ｅ  一端、１４１Ｆ  支持レール、１４１Ｇ  一端、１４２  別一端、１４２Ａ  別一端、１４２Ｇ  別一端、１４３  滑動槽、１４３Ａ  滑動槽、１４３Ｂ  滑動槽、１４３Ｃ  滑動槽、１４３Ｇ  滑動槽、１４４Ａ  枢設ピン、１４５Ａ  枢設ピン、１４６Ａ  横槽、１４７Ｄ  連結部、１４８Ｇ  外レール、１４９Ｇ  内レール
【図１】
0003116135.tif 000003
【図２】
0003116135.tif 000004
【図３】
0003116135.tif 000005
【図４】
0003116135.tif 000006
【図５】
0003116135.tif 000007
【図６】
0003116135.tif 000008
【図７】
0003116135.tif 000009
【図８】
0003116135.tif 000010
【図９】
0003116135.tif 000011
【図１０】
0003116135.tif 000012
【図１１】
0003116135.tif 000013
【図１２】
0003116135.tif 000014
【図１３】
0003116135.tif 000015
【図１４】
0003116135.tif 000016